(57)【要約】【課題】運送中の安定性を確保できる調整可能なマウンティングブラケットを提供する。【解決手段】調整可能なマウンティングブラケットは、基板10、端板12、サポート部品14、第一マウント部品16、第二マウント部品18、結合固定部品20を備える。基板10は端板12を備え、基板10から屈折して延伸し、サポート部品14が備える面板24は長開孔28を備える。各マウント部品16、18はサポート部品14を連接し端板12に固定し、結合固定部品20は横方向に可動状に、サポート部品14と端板12に連接し、頭部30、突出体32、ネジ孔34を備える。頭部30と突出体32を貫通し、突出体32の直径は面板24の長開孔28の孔径より小さく、しかも突出体32は面板24の長開孔28から突き出し、頭部30の高度は面板24の長開孔28の孔径より大きく、しかも頭部30はサポート部品14と端板12との間で可動状に挟持される。【選択図】図１
0003176460.tif 000002
【実用新案登録請求の範囲】
【請求項１】
調基板、端板、サポート部品、第一マウント部品、第二マウント部品、結合固定部品を備える、整可能なマウンティングブラケットであって、
前記端板は前記基板から延伸し、しかも前記基板に相対して屈折し、角度を形成し、
前記サポート部品は面板を備え、前記面板は長開孔を備え、
前記第一マウント部品は前記サポート部品に連接し、前記端板に固定され、
前記第二マウント部品は前記サポート部品に連接し、前記端板に固定され、
前記結合固定部品は前記サポート部品と前記端板に、横方向に可動状に連接し、相互に連接する頭部と突出体、及びネジ孔を備え、前記頭部と前記突出体を貫通し、
前記突出体の直径は前記面板の長開孔の横方向孔径より小さく、しかも前記突出体は前記面板の長開孔から突き出し、
前記頭部の高度は前記面板の長開孔の縦方向孔径より大きく、しかも前記頭部は前記サポート部品と前記端板との間で、可動状に挟持されることを特徴とする調整可能なマウンティングブラケット。
【請求項２】
前記サポート部品或いは端板の何れかは、収容設置空間を備え、前記結合固定部品の頭部は、前記収容設置空間に位置することを特徴とする請求項１に記載の調整可能なマウンティングブラケット。
【請求項３】
前記収容設置空間の深さは、前記結合固定部品の頭部の厚みより大きいか、或いは同等であることを特徴とする請求項２に記載の調整可能なマウンティングブラケット。
【請求項４】
前記収容設置空間は、前記サポート部品の面板に位置し、前記長開孔を取り囲むことを特徴とする請求項３に記載の調整可能なマウンティングブラケット。
【請求項５】
前記収容設置空間は、前記端板に位置し、前記長開孔に対応することを特徴とする請求項３に記載の調整可能なマウンティングブラケット。
【請求項６】
前記収容設置空間は、前記サポート部品の面板と端板において、前記長開孔に相対し、対応する陥没部をそれぞれ形成することを特徴とする請求項３に記載の調整可能なマウンティングブラケット。
【請求項７】
前記各陥没部の深さの総和は、前記結合固定部品の頭部の厚みより大きいか、或いは同等であることを特徴とする請求項６に記載の調整可能なマウンティングブラケット。
【請求項８】
前記収容設置空間は、前記長開孔を、さら穴（countersink）形態に設置して構成でき、しかも前記結合固定部品の頭部周囲は、対応した傾斜を呈することを特徴とする請求項３に記載の調整可能なマウンティングブラケット。
【考案の詳細な説明】
【技術分野】
【０００１】
本考案はマウンティングブラケットに関し、特に調整可能なマウンティングブラケットに関する。
【背景技術】
【０００２】
Curnalia氏等が考案した特許文献１の「Toolｌess rack mounting rail installation latch」において、マウンティングブラケットの端板は、２個のピン（pins）1320、1352及び1個のプレスナット（press-nut）1350を備える。２個のピンは、ラックシステム（rack  system）100の直立柱（uprights）110、  112、114、116の複数の孔を通過し、プレスナットにはネジを通し、直立柱の孔を通過させ、プレスナットと螺接して定位する。こうして、マウンティングブラケットの一端は、ラックの直立柱に安定かつ堅固に設置される。
【０００３】
しかし、前記のプレスナット1350は、マウンティングブラケットの端板上において、位置を調整することができない。そのため、設備をマウンティングブラケット上に設置し、固定ネジをラックシステムの直立柱の孔に通し、プレスナット1350により螺合し、設備を固定、或いは結合を強化する際に、プレスナット1350と設備の固定ネジの対応位置に、偏りがあれば、固定ネジが直立柱の孔を通過後、プレスナット1350と相互に螺接して固定することができなくなってしまう恐れがある。こうして、設備とラックシステムとの結合の堅固性に悪影響を及ぼす。このような結果は、運送の過程で、震動による設備システム全体に対する損壊を回避するためには不利である。
本考案は、従来のマウンティングブラケットの上記した欠点に鑑みてなされたものである。
【先行技術文献】
【特許文献】
【０００４】
【特許文献１】米国特許第7,930,812号公報
【考案の概要】
【考案が解決しようとする課題】
【０００５】
本考案が解決しようとする課題は、マウンティングブラケットの結合固定部品を提供し、マウンティングブラケットに対して横方向の調整機能を備え、これによりシャーシは結合固定部品により固定され、運送中の安定性を確保することができる調整可能なマウンティングブラケットを提供することである。
【課題を解決するための手段】
【０００６】
上記課題を解決するため、本考案は下記の調整可能なマウンティングブラケットを提供する。
調整可能なマウンティングブラケットは、基板、端板、サポート部品、第一マウント部品、第二マウント部品、結合固定部品を備え、該端板は、該基板から延伸し、しかも該基板に相対して屈折し、角度を形成し、該サポート部品は、面板を備え、該面板は、長開孔を備え、該第一マウント部品は、該サポート部品に連接し、該端板に固定され、該第二マウント部品は、該サポート部品に連接し、該端板に固定され、該結合固定部品は、該サポート部品と該端板に、横方向に可動状に連接し、相互に連接する頭部と突出体、及びネジ孔を備え、該頭部と該突出体を貫通し、該突出体の直径は、該面板の長開孔の横方向孔径より小さく、しかも該突出体は、該面板の長開孔から突き出し、該頭部の高度は、該面板の長開孔の縦方向孔径より大きく、しかも該頭部は、該サポート部品と該端板との間で、可動状に挟持される。
好ましくは、該サポート部品或いは該端板の何れかは、収容設置空間を備え、結合固定部品の頭部は、収容設置空間に位置する。
好ましくは、該収容設置空間の深さは、結合固定部品の頭部の厚みより大きいか、或いは同等である。
好ましくは、該収容設置空間は、該サポート部品の面板に位置し、該長開孔を取り囲む。
好ましくは、該収容設置空間は、該端板に位置し、該長開孔に対応する。
好ましくは、該収容設置空間は、該サポート部品の面板と端板において、該長開孔に相対し、対応する陥没部をそれぞれ形成する。
好ましくは、該各陥没部が形成する収容設置空間の深さの総和は、該結合固定部品の頭部の厚みより大きいか、或いは同等である。
好ましくは、該収容設置空間は、該長開孔をさら穴(countersink)形態に設置して構成し、しかも該結合固定部品の頭部周囲は、対応した傾斜を呈する。
マウンティングブラケットの結合固定部品は、移動調整が可能で、これによりマウンティングブラケットは実際の設置要求に基づき、例えば、シャーシの結合固定構造とブラケットの結合固定構造とがやや異なる、或いはサイズに公差がある時にも、結合固定部品が備える移動調整機能を通して、シャーシと螺接して固定でき、これによりシャーシをラック（rack）に設置しての運送過程において堅固性を備える。
【考案の効果】
【０００７】
本考案の調整可能なマウンティングブラケットは、移動調整が可能で、これによりマウンティングブラケットは実際の設置要求に基づき、例えば、シャーシの結合固定構造とブラケットの結合固定構造とがやや異なる、或いはサイズに公差がある時にも、結合固定部品が備える移動調整機能を通して、シャーシと螺接して固定でき、これによりシャーシをラック（rack）に設置しての運送過程において堅固性を備える。
【図面の簡単な説明】
【０００８】
【図１】本考案第一実施例マウンティングブラケットの分解図である。
【図２】本考案第一実施例マウンティングブラケットの組合せ模式図である。
【図３】本考案第一実施例マウンティングブラケットの結合固定部品の頭部とサポート部品の組合せ設置関係模式図である。
【図４】本考案第一実施例マウンティングブラケットの結合固定部品と螺合部品が螺接し、シャーシが固定される様子を示す模式図である。
【図５】本考案第二実施例マウンティングブラケットの結合固定部品の頭部と端板の組合せ設置関係模式図である。
【図６】本考案第三実施例マウンティングブラケットの結合固定部品の頭部とサポート部品及び端板間の組合せ設置関係模式図である。
【図７】本考案第四実施例マウンティングブラケットの結合固定部品の頭部とサポート部品間の組合せ設置関係模式図である。
【考案を実施するための形態】
【０００９】
以下に図面を参照しながら本考案の最良の形態について詳細に説明する。
【００１０】
図１、２に示す本考案第一実施例のマウンティングブラケットは、基板10、端板12、サポート部品14、第一マウント部品16、第二マウント部品18、結合固定部品20を備える。
【００１１】
基板10は、スライドレールアセンブリの外スライド部品22に連接する。端板12は、基板10から延伸し、しかも基板10に相対して屈折し、角度を形成する。サポート部品14は、面板24、及び面板24の両側から垂直に延伸する一対の側壁26を備える。面板24は、長開孔28を備える。第一マウント部品16は、サポート部品14に連接し、端板12に固定する。第二マウント部品18は、サポート部品14に連接し、端板12に固定する。結合固定部品20は、横方向に可動状に、サポート部品14と端板12に連接し、頭部30、突出体32、ネジ孔34を備え、頭部30と突出体32を貫通する。
【００１２】
頭部30と突出体32とは、相互に連接する。実施例中では、図３に示すように、突出体32の直径Dは、面板24の長開孔28の横方向孔径Xより小さい。よって、突出体32と長開孔28の内壁の間には、間隙Gを形成し、これにより突出体32は、長開孔28中で横方向に移動でき、しかも突出体32は、面板24の長開孔28から突き出る。頭部30の高度Hは、面板24の長開孔28の縦方向孔径Yより大きい（図１参照）。これにより、結合固定部品20は、長開孔28から離脱できず、しかも頭部30は、サポート部品14と端板12との間で、可動状に挟持される。
【００１３】
一実施例中では、サポート部品14の面板24は、収容設置空間36を備え、長開孔28を取り囲み、結合固定部品20の頭部30は、収容設置空間36に位置する。好ましくは、収容設置空間36の深さは、結合固定部品20の頭部30の厚みより大きいか、或いは同等である。
【００１４】
図４に示すスライドレールアセンブリの内スライド部品38は、シャーシ（chassis）40をその片側に接続し、しかも螺合部品42により、結合固定部品20のネジ孔34に対応し、螺接して固定される。シャーシ40が、スライドレールアセンブリにより、ラック（rack）内に入れられ、定位されると、結合固定部品20の、サポート部品14と端板12とに横方向に可動状に連接される特性を利用し、結合固定部品20は、螺合部品42に対応して移動を調整される。こうして、螺合部品42と結合固定部品20の突出体32のネジ孔34とは相互に螺接して固定される。これにより、シャーシ40はラック（rack）内において、スライドレールアセンブリの結合固定機能により定位される他に、螺合部品42と結合固定部品20により、シャーシ40は確実に結合固定された固定状態を保持することができる。こうして、運送過程などの外部の環境変化に伴う震動が原因で、シャーシ40がラック（rack）内で揺れ動き、さらにはシャーシ40の定位が失効し、ラック（rack）から滑り出るなどの状況の発生を回避することができる。
【００１５】
第二実施例中では、図５に示すように、端板200は、収容設置空間202を備え、サポート部品204の長開孔206に対応する。結合固定部品20の頭部30は、収容設置空間202に位置する。好ましくは、収容設置空間202の深さは、結合固定部品20の頭部30の厚みより大きいか、或いは同等である。
【００１６】
第三実施例中では、図６に示すように、サポート部品300の面板302と端板304とは、サポート部品300の長開孔306に相対し、それぞれ陥没部を備え、相互に対応する収容設置空間308、310を形成する。結合固定部品20の頭部30は、各陥没部が形成する収容設置空間308、310に位置する。好ましくは、各陥没部が形成する収容設置空間308、310の深さの総和は、結合固定部品20の頭部30の厚みより大きいか、或いは同等である。
【００１７】
第四実施例中では、図７に示すように、サポート部品400の面板402は、収容設置空間404を備え、収容設置空間404は、長開孔406をさら穴（countersink）形態にして構成する。しかも、結合固定部品408の頭部410周囲は、対応した傾斜を呈する。
【００１８】
上記したように、本考案の実施例により、以下の効果を提供することができる。マウンティングブラケットの結合固定部品は、移動調整が可能である。そのため、マウンティングブラケットは実際の設置要求に基づき、例えば、シャーシの結合固定構造とブラケットの結合固定構造とがやや異なる、或いはサイズに公差がある時にも、結合固定部品が備える移動調整機能を通して、シャーシと螺接して固定でき、これによりシャーシをラック（rack）に設置しての運送過程において堅固性を備える。
【００１９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は登録要件である新規性を備え、従来の同類製品に比べ十分な進歩性を有し、実用性が高く、社会のニーズに合致しており、産業上の利用価値は非常に大きい。
【符号の説明】
【００２１】
10：基板
12：端板
14：サポート部品
16：第一マウント部品
18：第二マウント部品
20：結合固定部品
22：外スライド部品
24：面板
26：側壁
28：長開孔
30：頭部
32：突出体
34：ネジ孔
36：収容設置空間
38：内スライド部品
40：シャーシ
42：螺合部品
200：端板
202：収容設置空間
204：サポート部品
206：長開孔
300：サポート部品
302：面板
304：端板
306：長開孔
308：収容設置空間
310：収容設置空間
400：サポート部品
402：面板
404：収容設置空間
406：長開孔
408：結合固定部品
410：頭部
【図１】
0003176460.tif 000003
【図２】
0003176460.tif 000004
【図３】
0003176460.tif 000005
【図４】
0003176460.tif 000006
【図５】
0003176460.tif 000007
【図６】
0003176460.tif 000008
【図７】
0003176460.tif 000009